(57)【要約】  【課題】  クリップに形成されている玉部の前端部、つまり、挟み込まれる紙やポケットなどが挿入される方向の端部が、軸筒の表面に対して直角をなしている為、挟み込まれる物がその直角な部分に当接してしまい、折れ曲がったりして、挟み込みにくい物となってしまっている。又、クリップの玉部が軸筒から常時露出している為、クリップも筆記時においても軸筒から離れた位置にあり、筆記に違和感があるものとなってしまっていた。  【解決手段】  軸筒に筆記体が出没可能に配置された出没式筆記具であって、前記筆記体の突出状態の維持を軸体に取り付けたクリップと筆記体との係止によってなすと共に、前記クリップの先端部を鋭角な玉部とし、又、筆記体の没入状態においては前記玉部が筆記体の膨出部に位置させた出没式筆記具。【選択図】  図４
2005313523.tif 000002
【特許請求の範囲】
【請求項１】
軸筒に筆記体が出没可能に配置された出没式筆記具であって、前記筆記体の突出状態の維持を軸体に取り付けたクリップと筆記体との係止によってなすと共に、前記クリップの先端部を鋭角な玉部とし、又、筆記体の没入状態においては前記玉部が筆記体の膨出部に位置することを特徴とする出没式筆記具。
【請求項２】
筆記体の突出状態において、前記クリップの玉部を軸筒に没入させたことを特徴とする請求項１記載の出没式筆記具。
【発明の詳細な説明】
【技術分野】
【０００１】
本発明は、軸筒に筆記体が出没可能に配置された出没式筆記具に関するものであり、特に、筆記体の突出状態をクリップに係止させることによって維持させる出没式筆記具に関する。
【背景技術】
【０００２】
軸筒内にレフィールを出没可能に配置し、そのレフィールの突出状態をクリップに係止させることによって維持させる出没式筆記具が知られている。具体的には、クリップの先端に形成、或いは取り付けられている玉部にレフィールの段部、或いは、そのレフィールの後部に配置されている係合体を係止させることによって、前記の突出状態を維持させる物が多い。尚、レフィールはスプリングによって後方に付勢されており、前記クリップによる係止が解除されるとスプリングの復帰力によって後退し没入される。
【０００３】
【特許文献１】特開平１１−３２１１８２号公報
【発明の開示】
【発明が解決しようとする課題】
【０００４】
しかし、前記従来技術にあっては、クリップに形成されている玉部の前端部、つまり、挟み込まれる紙やポケットなどが挿入される方向の端部が、軸筒の表面に対して直角をなしている為、挟み込まれる物がその直角な部分に当接してしまい、折れ曲がったりして、挟み込みにくい物となってしまっている。
又、クリップの玉部が軸筒から常時露出している為、クリップも筆記時においても軸筒から離れた位置にあり、筆記に違和感があるものとなってしまっていた。
【課題を解決するための手段】
【０００５】
本発明は、軸筒に筆記体が出没可能に配置された出没式筆記具であって、前記筆記体の突出状態の維持を軸体に取り付けたクリップと筆記体との係止によってなすと共に、前記クリップの先端部を鋭角な玉部とし、又、筆記体の没入状態においては前記玉部が筆記体の膨出部に位置することを要旨としている。
【発明の効果】
【０００６】
本発明は、軸筒に筆記体が出没可能に配置された出没式筆記具であって、前記筆記体の突出状態の維持を軸体に取り付けたクリップと筆記体との係止によってなすと共に、前記クリップの先端部を鋭角な玉部とし、又、筆記体の没入状態においては前記玉部が筆記体の膨出部に位置しているので、クリップへの挟み込みが容易になる。
【発明を実施するための最良の形態】
【０００７】
作用について説明する。クリップの先端部を鋭角な玉部としている為、挟み込まれる物がその鋭角な面に沿って案内され挟み込まれる。更に、前記の構成に加え、膨出部によって玉部の鋭角な先端部が軸筒から離隔している為、更に容易に挟み込まれる。
使用時においては、クリップ先端の表面が軸筒の内部に没入している為、クリップが親指の付け根部分などに接触しにくく良好な筆記感が得られる。
【０００８】
図１〜４に発明を実施するための最良の形態について説明する。軸筒１は後方軸筒２と中方軸筒３、並びに、前方軸筒４とから構成されている。前記後方軸筒２と中方軸筒３とは、グリップ５の係止段部５ａを挟着しつつ回転不能であると共に、長手方向にも凹凸嵌合などに手段によって移動（脱落）不能に結合されている。
一方、前記中方軸筒３と前方軸筒４とは、軸筒１の中心軸線を回転中心として相対的に回転可能ではあるが長手方向には脱落不能に結合されている。その結合構造について詳述する。前記中方軸筒３の中間部内面には凹部３ａが形成されており、その凹部３ａに前方軸筒４の中間部外面に形成された凸部４ａが回転自在に嵌合している。つまり、この凹凸嵌合によって中方軸筒３と前方軸筒４とが回転自在ではあるが、長手方向には移動不能に結合されている。又、前記中方軸筒３の内面には部分的に複数の突起３ｂが対峙する位置（中心線Ｘを基準線とする線対称な位置；本実施例では６個×２箇所の合計１２個）に形成されている。つまり、突起３ｂが形成されていない部分は、面状の円弧部３ｃとなっている。そして、その突起３ｂに係脱する突起４ｂが前記前方軸筒４の外周面に部分的に複数形成されている。この前方軸筒４に形成されている突起４ｂも前記突起３ｂと同様に対峙した位置（中心線Ｘを基準線とする線対称な位置；本実施例では5個×２箇所の合計１０個）に形成されている。前記中方軸筒３と同様に、突起４ｂが形成されていない部分は、面状の円弧部４ｃとなっている。
前記前方軸筒４の前方には複数の前方に伸びる断面が略部分円弧状の突起６が形成されており、グリップ５の前方内方に形成された断面がほぼ同形状の溝７にそれぞれ挿入されている。これら、突起６や溝７は、本例においては放射状の３箇所に形成されているがこれに限定されることなく、４箇所や５箇所、あるいは、１箇所であっても良いが、３箇所程度であるのが好ましい。
又、前方軸筒４の前端には、先部材８が螺合などの手段によって着脱自在に取り付けられているが、前記前方軸筒４と先部材８とでグリップ５の前端部内面に形成されている係止段部５ｂを挟着しており、グリップ５の前方軸筒４と先部材８に対する相対的な回転が阻止されている。
【０００９】
次ぎに作用について説明する。前記の構成によって、前方軸筒４と中方軸筒３を相対的に回転させると、対峙する２個の突起３ｂ、４ｂが係合する。ここで、更に前方軸筒４と中方軸筒３を回転させると、対峙する４個の突起３ｂ、４ｂが係合する。この時、グリップ５の回転復元力は前記の操作に比し大きな物となっているが、係合している突起３ｂ、４ｂの数も増加している為、復元力による復帰が阻止されている。この様に、前方軸筒４と中方軸筒３の相対的な回転により、グリップ５の復元力が増加するが、係合する突起３ｂ、４ｂの数も増加する為、その増加した係合力によって、グリップ５の復元力による復帰が阻止される。
前記軸筒１の内部にシャープペンシルが配置され、後部に配置されているノック部材を押圧操作することによって前記シャープペンシルが突出する、いわゆる、出没式の筆記具（シャープペンシル）を１例として挙げ説明するが、これに限定されるものではない。内部に配置される物がボールペンであっても良いし、筆記具に限らず、電子入力ペンなどであっても良い。
【００１０】
前記軸筒１の内部には、中軸９が前後動自在に配置されており、その中軸９の後端部には膨出部２３が形成されている。そして、前記後軸２の内面には、その膨出部２３が摺動する溝部２ａが形成されている。この膨出部２３の溝部２ａへ係合によって、軸筒１に対する中軸９の回転も防止されている。又、中軸９の前方には先具１０が位置している。その先具１０の先端には、芯を案内する芯保護管部１１が一体形成されているが、別部材で構成し互いを圧入などの手段によって固定しても良い。又、前記中軸９は、常時は、弾撥部材１２によって後方に付勢されている。
前記中軸９の内側には、芯タンク１３が摺動自在に配置されており、その芯タンク１３の前端には、芯の把持・解放を行うチャック体１４が固定されている。また、そのチャック体１４の前方部分には、チャック体１４の開閉を行うチャックリング１５が囲撓している。そして、チャック体１４の前方には、芯の後退を阻止するゴム状弾性体からなる芯戻り止め部材１６が位置しており、その芯戻り止め部材１６は前記先具１０の内面に圧入・固定されている。符号１７は、前記芯タンク１３やチャック体１４、並びに、そのチャック体１４に連動した前記先具１０などを後方に付勢するコイルスプリングなどの弾撥部材であり、中軸９と芯タンク１３との間に張設されている。
他方、前記芯タンク１３の後部には、消しゴム１８が着脱自在に嵌入されていおり、又、その消しゴム１８を覆うようにノック部材１９が着脱自在に取り付けられている。
【００１１】
一方、前記軸筒１の後部には、軸筒１の径方向に付勢されたクリップ２０が固定されており、そのクリップ２０の先端内側には前方に向け尖らせた（鋭角状の）玉部２１が形成されている。そして、中軸９が前進すると、クリップ２０の前方部分が軸筒１の径方向に倒れ込むように回転し、クリップ２０の玉部前端２２が中軸９の膨出部２３に係合するのである。この時、クリップ２０の玉部２１は、完全に軸筒１の内部に没入しており、更に、クリップ２０前端の表面部も軸筒１内に没入している。
ここで、前記クリップ２０は、金属材質からなる弾性状のクリップ本体２４と樹脂材質からなる比較的弾性を有しない押圧操作部材２５とから構成されているが、これに限定されることはなく、クリップ本体を弾性状の樹脂材質から構成し、一方、押圧操作部材を弾性を有さない金属材質から構成するなどしても良い。そして、クリップ本体２４の後部はコ字形に形成されており、該部分が前記軸筒１の後部に形成された固定溝１ａに圧入・固定されている。さらに詳述すると、前記押圧操作部材２５のほぼ中央部には窓孔２６が形成されており、前記クリップ本体２４がその窓孔２６を貫通している。そして、その押圧操作部材２５の後方部はクリップ２０と軸筒１との連結部から後方に向けて延設形成されている。又、クリップ本体２４には２つの係合孔２７が形成されており、その係合孔２７に押圧操作部材２５の突起２８が圧入されている。即ち、この圧入状態によって押圧操作部材２５とクリップ本体２４とが結合されており、さらに、押圧操作部２５は窓孔２６にクリップ本体２４を貫通させて結合しているため、比較的、強い押圧操作力を作用させても外れない構造となっている。
【００１２】
次に使用例について説明する。ノック部材１９を押圧すると、弾撥部材１２の弾撥力に抗して前記中軸９並びに、芯タンク１３などが前進移動し、先部材８の先端から先具１０並びに、芯保護管部１１が突出する。この時、中軸９の膨出部２３の後端部が、クリップ２０の玉部前端２２に係合し、前記弾撥部材１２の復帰力による後退動作が阻止される。この時、前述したように、クリップ２０の玉部２１などは軸筒１の内部に没入した状態にある。ここで、一度ノック部材１９の押圧操作を解除し、更にノック部材１９を押圧すれば、芯タンク１３やチャック体１４が前進し、芯の繰り出し操作が行われる。
再び、先具１０を先部材８内に収納したい場合には、前記クリップ２０に固定された押圧操作部材２５の後部を軸筒１の方向に押圧する。この動作によってクリップ本体２４の軸筒１との接触部を支点とし、クリップ本体２４は前方部分が持ち上げられるように回転し、玉部前端２２と中軸後端２３との係合が解除される。この瞬間に前記中軸９が弾撥部材１２の復元作用によって後退する。この時、クリップ本体２４の玉部２１は中軸９の膨出部２３の表面に乗り上げ、クリップ２０（玉部２１）を軸筒の表面に露出させると共に、膨出部２３の表面に強く付勢されることになるが、その付勢力によるクリップ本体２４の湾曲作用は、そのクリップ本体２４のほぼ全域に渡って均等に分散される。このクリップ本体２４の湾曲作用は、筆記具をポケットなどに差し込んだ際にも同様に作用する。
【図面の簡単な説明】
【００１３】
【図１】本発明の第１例を示す縦断面図。
【図２】図１の斜視図。
【図３】図１のＡ−Ａ線断面図。
【図４】図１のＢ−Ｂ線断面図。
【図５】図１のＣ−Ｃ線断面図。
【図６】動作説明図。
【符号の説明】
【００１４】
１    軸筒
２    後方軸筒
３    中方軸筒
４    前方軸筒
５    グリップ
６    突起
７    溝
８    先部材
９    中軸
１０  先具
１１  芯保護管
１２  弾撥部材
１３  芯タンク
１４  チャック体
１５  チャックリング
１６  芯戻り止め部材
１７  弾撥部材
１８  消しゴム
１９  ノック部材
２０  クリップ
２１  玉部
２２  玉部前端
２３  膨出部
２４  クリップ本体
２５  押圧操作部材
２６  窓孔
２７  係合孔
２８  突起
【図１】
2005313523.tif 000003
【図２】
2005313523.tif 000004
【図３】
2005313523.tif 000005
【図４】
2005313523.tif 000006
【図５】
2005313523.tif 000007
【図６】
2005313523.tif 000008